(57)【特許請求の範囲】
【請求項１】
筐体を有し、前記筐体は前面に前面パネルを備え、右端と左端のそれぞれにサイドパネルを備えるとともに、前記前面パネルに係止された吸込グリルが前記前面パネルと前記サイドパネルを覆う空気調和機の室内機において、
前記サイドパネルの側面には、前記吸込グリルの端から前記サイドパネルの側面を覆うパネルカバーを備え、前記筐体は底面に開口された吹出口と前記吹出口を覆う横長の風向板を備え、前記サイドパネルの底面の端部の形状は前記風向板の左右方向の端部の形状に揃えることを特徴とする空気調和機の室内機。
【発明の詳細な説明】
【技術分野】
【０００１】
本発明は、空気調和機の室内機の構造に関するものである。
【背景技術】
【０００２】
昨今の空気調和機の室内機は、空調室のインテリアに調和する意匠とするため、筐体を室内の壁に溶け込む白色の前面パネルで覆い、前面パネルの前面に吸込桟のないフラットな吸込グリルを設けるものが多くなっているが、シンプルな意匠のため同種の製品との差別化が図りにくい。
【０００３】
特に大型の前面パネルは金型費用が高いため、吸込グリルの意匠を変更することで外観的なバリエーションを持たせていた。しかし、前面パネルを変えずに吸込グリルの意匠を変更しようとしても前面パネルに取り付けられている吸込グリルの形状を大きく変更することは困難で、吸込グリルの表面の微細な変更しかできなかった。（例えば、特許文献１参照）。
【先行技術文献】
【特許文献】
【０００４】
【特許文献１】特開２０１５-１９０６３７号公報
【発明の概要】
【発明が解決しようとする課題】
【０００５】
本発明は上記問題点に鑑み、金型費用を抑えながらも、外観のイメージを大きく変えることが可能となる空気調和機の室内機を提案することを目的とする。
【課題を解決するための手段】
【０００６】
上述した課題を解決するために本発明は、筺体を有し、前記筐体は前面に前面パネルを備え、右端と左端のそれぞれにサイドパネルを備えるとともに、前記前面パネルに係止された吸込グリルが前記前面パネルと前記サイドパネルを覆う空気調和機の室内機において、前記サイドパネルの側面には、前記吸込グリルの端から前記サイドパネルの側面を覆うパネルカバーを備えることを特徴とする。
【０００７】
また、前記筐体は底面に開口された吹出口と前記吹出口を覆う横長の風向板を備え、前記サイドパネルの底面の端部の形状は前記風向板の左右方向の端部の形状に揃えることも含まれる。
【発明の効果】
【０００８】
上記のように構成した本発明の空気調和機の室内機は、吸込グリルとサイドパネルとパネルカバーを変更することで、金型費用を抑えながらも、外観のイメージを大きく変更したバリエーション展開が可能となる空気調和機の室内機となる。
【図面の簡単な説明】
【０００９】
【図１】本発明の空気調和機の室内機の斜視図である。
【図２】本発明の空気調和機の室内機の縦断面図である。
【図３】本発明の空気調和機の室内機の外観部品の分解図である。
【図４】本発明の空気調和機の室内機から吸込グリルを外した状態の斜視図である。
【図５】実施例２の空気調和機の室内機の斜視図である。
【図６】実施例３の空気調和機の室内機の斜視図である。
【図７】実施例４の空気調和機の室内機の斜視図である。
【図８】実施例５の空気調和機の室内機の斜視図である。
【発明を実施するための形態】
【００１０】
以下、本発明を実施するための形態を、添付図面に基づいた実施例として詳細に説明する。
【００１１】
本発明に係わる空気調和機は、屋外に設置される室外機（図示なし）と、空調室内に設置される室内機１とが冷媒配管を介して接続されて冷凍サイクルを構成する。なお、室内機１の内部構造の具体的な構成や仕様については、本発明において任意的事項であり詳細な説明は省略する。
【実施例１】
【００１２】
図１は空気調和機の室内機１（以下室内機１とする）の斜視図である。図１における室内機１に沿わせた座標軸において、Ｙ方向を上面または上方、−Ｙ方向を下面または下方、Ｚ方向を前面または前方、−Ｚ方向を背面または後方、Ｘ方向を右側面または右方、−Ｘ方向を左側面または左方として以下説明する。各部品においても同様である。
【００１３】
図１に示すように室内機１の筐体１０は横長の直方体形状で、フラットな前面から左右側面に掛けて大きな曲面Ｒ１を設けて傾斜する１枚板状の吸込グリル２０で覆われている。また、左右側面で吸込グリル２０の端から背面に掛けて吸込グリル２０と連続するように右パネルカバー３０、左パネルカバー３１が取り付けられている。右パネルカバー３０、左パネルカバー３１には曲面Ｒ１とは逆方向に筐体１０の内側に向けて凹んだ曲面Ｒ２が設けられている。図1において吸込グリル２０と右パネルカバー３０、左パネルカバー３１はポリスチレン等の樹脂製で白色系の成形色で形成される。
【００１４】
そして、吸込グリル２０の下部で筐体１０の底面には横長に開口された吹出口１１があり、吹出口１１は運転停止時には上下に並び上に位置する第１風向板１２と下に位置する第２風向板１３で閉塞される。この第１風向板１２、第２風向板１３は運転時には回動して筐体１０内部から吹き出される気流を空調室内に送風する。第２風向板１３から背面にかけては底板１４が設けられている。第１風向板１２、第２風向板１３と底板１４は横長の同幅であり、その長手方向の両端から上方に筐体１０の側面を形成する右サイドパネル４０と左サイドパネル４１を備えている。右サイドパネル４０、左サイドパネル４１の底面４０３、４１３の端部４６の形状は第１風向板１２、第２風向板１３と底板１４の左右方向の端部１２１の形状に揃えている。
【００１５】
第１風向板１２と第２風向板１３と底板１４と右サイドパネル４０、左サイドパネル４１はポリスチレン等の樹脂製で吸込グリル２０と右パネルカバー３０、左パネルカバー３１と同じ白色系の成形色で形成してもよいし、吸込グリル２０と右パネルカバー３０、左パネルカバー３１とは異なった暗色系の成形色で形成してもよい。
【００１６】
サイドパネル４０で風向板１２の右隣りにある黒色部分は、ＬＥＤの発光で運転状態を知らせる表示部とリモコンからの赤外線を受信する受光部を内部に備え、暗色のシート４２で覆われている。
【００１７】
図２は室内機１の縦断面図で、図３は室内機１の外観部品の分解図で、図４は吸込グリル２０を外した状態の斜視図である。図２〜図４に示すように筐体１０は内部に筐体１０と平行に横長のクロスフローファンタイプの送風ファン１５と送風ファン１５の周囲を囲む熱交換器１６を備える。送風ファン１５は筐体１０の長手方向の片側で図示しないファンモータに軸支される。熱交換器１６の右隣りには空気調和機を制御する制御部品を備えた電装品箱１７を備える。ファンモータと熱交換器１６と電装品箱１７はケーシング１８に支えられる。ケーシング１８は後述する吸込口１９と吹出口１１を結ぶ送風路１８１を形成する。
【００１８】
吸込グリル２０の内側で筺体１０の前面と上面にあたり、吹出口１１の上端から熱交換器１６の前方と上方には前面パネル５０が設けられている。前面パネル５０もケーシング１８にネジ６０や係止爪６１等で固定される。前面パネル５０の前面５０１と上面５０２には開口された吸込口１９が設けられる。
【００１９】
前面パネル５０の前面５０１は吸込口１９の右隣りに電装品箱１７内にケーブルを繋ぐために電装品箱１７を開閉するケーブルカバー１７１用の開口部５２を備える。また、前面パネル５０は前面５０１から上面５０２に掛けて左右端にそれぞれ切り欠いて形成されたアーム受部５３を有し、吸込グリル３０の裏面の左右端に設けたアーム（図示なし）を軸支することで吸込グリル３０が前面パネル５０に開閉可能に係止される。
【００２０】
さらに、前面パネル５０の前面５０１は吹出口１１の幅よりも左右方向に延出しており、左右端には前述した右サイドパネル４０、左サイドパネル４１を受ける係合部５１を備える。係合部５１は前面５０１よりも後方に設けた段差であり、中央に筒状のネジ受部５１１を有する。
【００２１】
なお以下の説明で左サイドパネル４１は右サイドパネル４０の対称形とし、左パネルカバー３１は右パネルカバー３０の対称形として左サイドパネル４１と左パネルカバー３１の説明は省略する。
【００２２】
右サイドパネル４０は、その前面４０１と側面４０２と底面４０３を有し、前面４０１が前面パネル５０の前面５０１と面一となり、前面４０１から側面４０２に掛けて吸込グリル２０の曲面Ｒ１と平行な曲面Ｒ３を備える。底面４０３の端部４６の形状は前述したように第１風向板１２と第２風向板１３と底板１４の左右方向の端部１２１の形状に揃えている。前面４０１には前面パネル５０のネジ受部５１１と係合するように凹状に形成されたネジ止め部４３を有する。また、底面４０３との角部にもネジ孔４５を有する。
【００２３】
右サイドパネル４０の側面４０２には、右サイドパネル４０の側面４０２周囲の形状に合わせた右パネルカバー３０が取り付けられる。右パネルカバー３０の表面は前述したように曲面Ｒ２を備えた面で形成される。右パネルカバー３０は裏面に係止爪３２を有し、係止爪３２が右サイドパネル４０の係止孔４４に係合される。なお、係止爪３２および係止孔４４の具体的な構成や仕様については、本発明において任意的事項でありこれに限定されるものではない。
【００２４】
右パネルカバー３０を取り付けた右サイドパネル４０は、前面パネル５０の筒状のネジ受部５１１にネジ止め部４３を嵌め込むことで位置出しができる。ネジ止め部４３とネジ受部５１１をネジ止めし、またネジ孔４５を前面パネル５０とネジ止めすることで右サイドパネル４０を前面パネル５０に固定できる。なお、右サイドパネル４０の固定方法は任意事項でありこれに限定されるものではない。
【００２５】
以上に説明したように、内部に送風ファン１５と熱交換器１６を備えた筺体１０は、前面と上面に前面パネル５０を備えるとともに右端と左端にそれぞれ右サイドパネル４０、左サイドパネル４１を備え、前面パネル５０と右サイドパネル４０、左サイドパネル４１を吸込グリル２０と右パネルカバー３０、左パネルカバー３１で覆うことにより、吸込グリル２０と右パネルカバー３０、左パネルカバー３１の金型変更で、外観のイメージを変更することが可能となる。また右サイドパネル４０、左サイドパネル４１まで金型変更することにより、外観のイメージを大幅に変更することが可能となり、機種ごとにバリエーション展開が可能となる。
【００２６】
また、吸込グリル２０と右パネルカバー３０、左パネルカバー３１を白色で形成し、吹出口周囲を白色または暗色で形成することで、カラーバリエーションも可能となる。
【００２７】
従来の筐体を前面パネルで覆うものは金型費用が高いため、吸込グリルの意匠を変更することで外観的なバリエーションを持たせていた。しかし、前面パネルを変えずに吸込グリルの意匠を変更しようとしても前面パネルに取り付けられている吸込グリルの形状を大きく変更することは困難で、吸込グリルの表面の微細な変更しかできなかった。これに対し本発明では、筐体１０の前面を覆う前面パネル５０と側面を覆う右サイドパネル４０と左サイドパネル４１で従来の前面パネルに当たる部分を形成することで、前面パネル２０を変えずに小型で金型費用が安い右サイドパネル４０と左サイドパネル４１のみを変更することで、従来の前面パネルを変更した時と同じように筐体の外観と吸込グリルの形状を大きく変更することが可能となる。
【００２８】
さらに、右サイドパネル４０と左サイドパネル４１の側面に吸込グリル２０と連続するように右パネルカバー３０、左パネルカバー３１を設けることで、側面までの美観が向上するとともに、部品の組み合わせにより機種ごとにバリエーション展開が可能となる。
【実施例２】
【００２９】
吸込グリル２０と右パネルカバー３０、左パネルカバー３１および右サイドパネル４０、左サイドパネル４１の金型変更で外観デザインを大幅に変更することが可能となる例として、図５に示す室内機１ａは、室内機１に対して吸込グリル２０ａと右サイドパネル４０ａ、左サイドパネル４１ａおよび右パネルカバー３０ａ、左パネルカバー３１ａを変更したものである。室内機１の曲面Ｒ１が特徴的な意匠に対して吸込グリル２０ａを角張った意匠とした。これにより一部の部品を変更しただけで、外観のイメージを大きく変更することが可能となる。
【実施例３】
【００３０】
図６に示す室内機１ｂは、室内機１に対して吸込グリル２０ｂと右サイドパネル４０ｂ、左サイドパネル４１ｂおよび右パネルカバー３０ｂ、左パネルカバー３１ｂを変更したものであり、吸込グリル２０ｂを前面の幅を大きい板状として設け、吸込グリル２０ｂに連続して右パネルカバー３０ｂ、左パネルカバー３１ｂを設けたものであり、右パネルカバー３０ｂ、左パネルカバー３１ｂには、右サイドパネル４０ｂ、左サイドパネル４１ｂと重なるように底面３０ｂ１、３１ｂ１を設けたものである。そして、第１風向板１２と右サイドパネル４０ｂ、左サイドパネル４１ｂを暗色で形成することで、外観のイメージを大きく変更することが可能となる。
【実施例４】
【００３１】
図７に示す室内機１ｃは、室内機１に対して右パネルカバー３０、左パネルカバー３１は共通で、吸込グリル２０ａは室内機１ａと共通であり、右サイドパネル４０ｃ、左サイドパネル４１ｃを変更したものである。これにより、部品の組み合わせにより多くの機種のバリエーションが図れるものとなる。
【実施例５】
【００３２】
同様に図８に示す室内機１ｄは、室内機１に対して右パネルカバー３０ｄ、左パネルカバー３１ｄを変更し吹出口周囲の部品を明色で形成したものである。右パネルカバー３０ｄ、左パネルカバー３１ｄの変更だけでも、外観イメーシの異なった機種のバリエーションを設けることが可能となる。
【符号の説明】
【００３３】
１・１ａ・１ｂ・１ｃ・１ｄ：空気調和機の室内機
１０：筐体
１１：吹出口
１２：第１風向板
１３：第２風向板
１４：底板
１５：送風ファン
１６：熱交換器
１８：ケーシング
１９：吸込口
２０・２０ａ・２０ｂ：吸込グリル
３０・３０ａ・３０ｂ・３０ｄ：右パネルカバー
３１・３１ａ・３１ｂ・３１ｄ：左パネルカバー
４０・４０ａ・４０ｂ・４０ｃ：右サイドパネル
４１・４１ａ・４１ｂ・４１ｃ：左サイドパネル
４２：シート
５０：前面パネル
Ｒ１・Ｒ２・Ｒ３：曲面
【図１】
0006699275.tif 000002
【図２】
0006699275.tif 000003
【図３】
0006699275.tif 000004
【図４】
0006699275.tif 000005
【図５】
0006699275.tif 000006
【図６】
0006699275.tif 000007
【図７】
0006699275.tif 000008
【図８】
0006699275.tif 000009